(57)【要約】【課題】  出力端子の種類を考慮したテーブルを予め持たせておくことにより、極めて簡単な処理のみで出力端子の種類によるＯＳＤフォントの文字のにじみや潰れ、荒さを軽減する。【解決手段】  メモリ８には、ＴＶモニタ装置２０が接続される本装置の出力端子ごとに最適なフォントサイズのデータを予め格納したフォントサイズテーブル８ａと、ＴＶモニタ装置２０が接続される本装置の出力端子ごとに最適な輝度レベルのデータを予め格納した輝度レベルテーブル８ｂとを格納しており、制御回路７は、リモコン１１によりメニュー画面に表示された全出力端子からユーザが任意の出力端子を指定した場合には、その指定された出力端子のフォントサイズをフォントサイズテーブル８ａから抽出するとともに、指定された出力端子の輝度レベルを輝度レベルテーブル８ｂから抽出し、その抽出したフォントサイズ及び／または輝度レベルでＯＳＤ表示を行う。【選択図】  図１
2007043385.tif 000002
【特許請求の範囲】
【請求項１】
映像信号にＯＳＤ信号を重畳して表示装置に出力する映像信号処理装置において、
前記ＯＳＤ信号のフォントサイズを切り替えるとともに、前記ＯＳＤ信号の輝度レベルを切り替える切替手段と、
前記表示装置が接続される本装置の出力端子の種類ごとに最適なフォントサイズのデータを予め格納したフォントサイズテーブルと、
前記表示装置が接続される本装置の出力端子の種類ごとに最適な輝度レベルのデータを予め格納した輝度レベルテーブルと、
前記表示装置が接続される本装置の出力端子の種類を指定する指定手段とを備えており、
前記切替手段は、前記指定手段によりメニュー画面に表示された出力端子の種類からユーザが任意の出力端子を指定した場合には、その指定された出力端子のフォントサイズを前記フォントサイズテーブルから抽出するとともに、指定された出力端子の輝度レベルを前記輝度レベルテーブルから抽出し、その抽出したフォントサイズ及び輝度レベルで前記ＯＳＤ信号を出力することを特徴とする映像信号処理装置。
【請求項２】
映像信号にＯＳＤ信号を重畳して表示装置に出力する映像信号処理装置において、
前記ＯＳＤ信号のフォントサイズを切り替える切替手段を備えており、
前記切替手段は、前記表示装置が接続される本装置の出力端子の種類に応じて前記ＯＳＤ信号のフォントサイズを切り替えることを特徴とする映像信号処理装置。
【請求項３】
前記表示装置が接続される本装置の出力端子の種類ごとに最適なフォントサイズのデータを予め格納したフォントサイズテーブルと、
前記表示装置が接続される本装置の出力端子の種類を指定する指定手段とを備えており、
前記切替手段は、前記指定手段により出力端子の種類がユーザによって指定された場合には、その指定された出力端子のフォントサイズを前記フォントサイズテーブルから抽出し、その抽出したフォントサイズで前記ＯＳＤ信号を出力することを特徴とする請求項２に記載の映像信号処理装置。
【請求項４】
映像信号にＯＳＤ信号を重畳して表示装置に出力する映像信号処理装置において、
前記ＯＳＤ信号の輝度レベルを切り替える切替手段を備えており、
前記切替手段は、前記表示装置が接続される本装置の出力端子の種類に応じて前記ＯＳＤ信号の輝度レベルを切り替えることを特徴とする映像信号処理装置。
【請求項５】
前記表示装置が接続される本装置の出力端子の種類ごとに最適な輝度レベルのデータを予め格納した輝度レベルテーブルと、
前記表示装置が接続される本装置の出力端子の種類を指定する指定手段とを備えており、
前記切替手段は、前記指定手段により出力端子の種類がユーザによって指定された場合には、その指定された出力端子の輝度レベルを前記輝度レベルテーブルから抽出し、その抽出した輝度レベルで前記ＯＳＤ信号を出力することを特徴とする請求項４に記載の映像信号処理装置。
【請求項６】
映像信号にＯＳＤ信号を重畳して表示装置に出力する映像信号処理装置において、
前記ＯＳＤ信号のフォントサイズを切り替えるとともに、前記ＯＳＤ信号の輝度レベルを切り替える切替手段を備えており、
前記切替手段は、前記表示装置が接続される本装置の出力端子の種類に応じて前記ＯＳＤ信号のフォントサイズと輝度レベルとを切り替えることを特徴とする映像信号処理装置。
【請求項７】
前記表示装置が接続される本装置の出力端子の種類ごとに最適なフォントサイズのデータを予め格納したフォントサイズテーブルと、
前記表示装置が接続される本装置の出力端子の種類ごとに最適な輝度レベルのデータを予め格納した輝度レベルテーブルと、
前記表示装置が接続される本装置の出力端子の種類を指定する指定手段とを備えており、
前記切替手段は、前記指定手段により出力端子の種類がユーザによって指定された場合には、その指定された出力端子のフォントサイズを前記フォントサイズテーブルから抽出するとともに、指定された出力端子の輝度レベルを前記輝度レベルテーブルから抽出し、その抽出したフォントサイズ及び輝度レベルで前記ＯＳＤ信号を出力することを特徴とする請求項６に記載の映像信号処理装置。
【請求項８】
前記出力端子の種類が、コンポジット端子、コンポーネント端子、Ｓ端子、またはＤ端子の少なくとも２種類以上であることを特徴とする請求項２ないし請求項７のいずれかに記載の映像信号処理装置。
【請求項９】
前記指定手段は、メニュー画面に表示された出力端子の全種類からユーザが任意の出力端子を選択することで指定することを特徴とする請求項３または５に記載の映像信号処理装置。
【発明の詳細な説明】
【技術分野】
【０００１】
本発明は、映像信号にＯＳＤ信号を重畳して表示装置に出力するＤＶＤ(Digital Versatile Disk)プレーヤやＤＶＤレコーダ等の映像信号処理装置に関する。
【背景技術】
【０００２】
一定サイズ及び一定輝度の１種類のフォントデータを実装し、一定サイズ及び一定輝度でそのフォントを表示出力するように構成されている映像信号処理装置の場合、出力端子の設定に関係なくフォントを出力するため、設定される出力端子の種類によっては、フォントの文字がちらついたり、にじんで潰れてしまったりすることがあり、文字が読めなくなる可能性があるといった問題があった。また反対に、フォントが大きすぎたり、輝度が低かったりした場合には、フォントの荒さが見えてしまう可能性があるといった問題もあった。
【０００３】
そこで、このようなＯＳＤフォントも含め、表示画面をより見易く表示するための関連技術が従来から種々提案されている（例えば、特許文献１〜３等参照）。
【０００４】
特許文献１に記載の外部表示調整装置は、画像出力のテレビモニタに対する接続先がＳ端子である場合は、画質改善部にてフリッカ防止用の画質改善処理のみ行い、同テレビモニタに対する接続先がコンポジット端子である場合は、画質改善部にてさらに帯域制限処理を加え、こうして画質改善された画像をビデオ信号に変換してテレビモニタに出力表示させるようになっている。
【０００５】
また、特許文献２に記載の映像信号記録再生装置は、接続されたテレビと外部出力端子とに対応して、記録された画郭情報から、最適な画郭に映像処理して映像信号を外部出力するようになっており、画郭情報として、映像フォーマットを画素数で表わした「横サイズ」及び「縦サイズ」、４：３や１６：９といった映像の横縦比を表わした「アスペクト比」、飛び越し（インターレース）走査か順次（プログレッシブ）走査かを表わす「プログレッシブフラグ」、フォーマットのうち実際に映像の信号が載っている部分を画素数で表わした「表示横サイズ」及び「表示縦サイズ」、そしてその際のフォーマット左上からの開始始点を画素数で表わした「横オフセット」及び「縦オフセット」が管理テーブル内に格納されている。これにより、例えば、１６：９ワイドテレビにＤ３端子の自動モードで接続している場合において、映像信号の画郭が１９２０×１０８０Ｉから７２０×４８０Ｉへと切り替わった場合には、その通りに画郭を変換して外部出力するようになっている。
【０００６】
また、特許文献３に記載のデジタル放送受信機は、受信機にＮＴＳＣモニタが接続されている場合にはＮＴＳＣ解像度のＯＳＤ画面を映像に重畳し、ハイビジョンモニタが接続されている場合は、ハイビジョン解像度のＯＳＤ画面を重畳して出力するようになっている。
【０００７】
上記特許文献１〜３によれば、ＯＳＤフォント等を含むテレビモニタの表示画面をより見易く改善することが可能である。
【特許文献１】特開２００２−２−４４６５号公報
【特許文献２】特開２００３−２０９７９１号公報
【特許文献３】特開平１１−１６８６７９号公報
【発明の開示】
【発明が解決しようとする課題】
【０００８】
しかしながら、特許文献１記載の外部表示調整装置では、出力端子の種類に応じてフリッカ防止や帯域制限といった画質自体の改善は可能であるが、設定される出力端子の種類に応じてＯＳＤフォント自体の設定を変更することまでは行われていない。そのため、フリッカ防止や帯域制限といった画質改善が行われたとしても、フォントの文字がちらついたり、にじんで潰れてしまったり、逆に荒さが見えてしまったりするといった、フォントレベルでの視認性の問題が依然として残されていた。
【０００９】
また、特許文献２記載の映像信号記録再生装置では、接続されるテレビと外部出力端子とに基づいて、映像信号を最適な画郭で出力することは可能である。つまり、設定される出力端子の種類に応じて映像信号の画郭を最適な画郭に変更することは可能であるが、設定される出力端子の種類に応じてＯＳＤフォント自体の設定を変更することまでは行われていない。そのため、上記特許文献１と同様、画郭が最適であったとしても、フォントの文字がちらついたり、にじんで潰れてしまったり、逆に荒さが見えてしまったりするといった、フォントレベルでの視認性の問題が依然として残されていた。
【００１０】
また、特許文献３記載のデジタル放送受信機では、接続されたテレビモニタの種類に応じてＯＳＤ画面全体の解像度を最適な解像度に変えることは可能であるが、設定される出力端子の種類に応じてＯＳＤフォント自体の設定を変更することまでは行われていない。そのため、上記特許文献１，２と同様、解像度が最適であったとしても、フォントの文字がちらついたり、にじんで潰れてしまったり、逆に荒さが見えてしまったりするといった、フォントレベルでの視認性の問題が依然として残されていた。
【００１１】
本発明はかかる問題点を解決すべく創案されたもので、その目的は、出力端子の種類を考慮したフォントテーブルを予め持たせておくことにより、極めて簡単な処理のみで出力端子の種類によるＯＳＤフォントの文字のにじみや潰れ、荒さを軽減することのできる映像信号処理装置を提供することにある。
【課題を解決するための手段】
【００１２】
本発明の映像信号処理装置は、映像信号にＯＳＤ信号を重畳して表示装置に出力する映像信号処理装置において、前記ＯＳＤ信号のフォントサイズを切り替える切替手段を備えており、前記切替手段は、前記表示装置が接続される本装置の出力端子の種類に応じて前記ＯＳＤ信号のフォントサイズを切り替えることを特徴とする。より具体的に説明すると、前記表示装置が接続される本装置の出力端子の種類ごとに最適なフォントサイズのデータを予め格納したフォントサイズテーブルと、前記表示装置が接続される本装置の出力端子の種類を指定する指定手段とを備えており、前記切替手段は、前記指定手段により出力端子の種類がユーザによって指定された場合には、その指定された出力端子のフォントサイズを前記フォントサイズテーブルから抽出し、その抽出したフォントサイズで前記ＯＳＤ信号を出力するようになっている。すなわち、本発明の映像信号処理装置によれば、表示装置が接続される本装置の出力端子の種類に対応した最適なフォントサイズで文字等を表示することができるため、出力端子の種類の違いによる文字のにじみや潰れ、荒さを軽減することができる。
【００１３】
また、本発明の映像信号処理装置は、映像信号にＯＳＤ信号を重畳して表示装置に出力する映像信号処理装置において、前記ＯＳＤ信号の輝度レベルを切り替える切替手段を備えており、前記切替手段は、前記表示装置が接続される本装置の出力端子の種類に応じて前記ＯＳＤ信号の輝度レベルを切り替えることを特徴とする。より具体的に説明すると、前記表示装置が接続される本装置の出力端子の種類ごとに最適な輝度レベルのデータを予め格納した輝度レベルテーブルと、前記表示装置が接続される本装置の出力端子の種類を指定する指定手段とを備えており、前記切替手段は、前記指定手段により出力端子の種類がユーザによって指定された場合には、その指定された出力端子の輝度レベルを前記輝度レベルテーブルから抽出し、その抽出した輝度レベルで前記ＯＳＤ信号を出力するようになっている。すなわち、本発明の映像信号処理装置によれば、表示装置が接続される本装置の出力端子の種類に対応した最適な輝度レベルで文字等を表示することができるため、出力端子の種類の違いによる文字のにじみや潰れ、荒さを軽減することができる。
【００１４】
また、本発明の映像信号処理装置は、映像信号にＯＳＤ信号を重畳して表示装置に出力する映像信号処理装置において、前記ＯＳＤ信号のフォントサイズを切り替えるとともに、前記ＯＳＤ信号の輝度レベルを切り替える切替手段を備えており、前記切替手段は、前記表示装置が接続される本装置の出力端子の種類に応じて前記ＯＳＤ信号のフォントサイズと輝度レベルとを切り替えることを特徴とする。より具体的に説明すると、前記表示装置が接続される本装置の出力端子の種類ごとに最適なフォントサイズのデータを予め格納したフォントサイズテーブルと、前記表示装置が接続される本装置の出力端子の種類ごとに最適な輝度レベルのデータを予め格納した輝度レベルテーブルと、前記表示装置が接続される本装置の出力端子の種類を指定する指定手段とを備えており、前記切替手段は、前記指定手段により出力端子の種類がユーザによって指定された場合には、その指定された出力端子のフォントサイズを前記フォントサイズテーブルから抽出するとともに、指定された出力端子の輝度レベルを前記輝度レベルテーブルから抽出し、その抽出したフォントサイズ及び輝度レベルで前記ＯＳＤ信号を出力するようになっている。すなわち、本発明の映像信号処理装置によれば、表示装置が接続される本装置の出力端子の種類に対応した最適なフォントサイズ及び輝度レベルで文字等を表示することができるため、出力端子の種類の違いによる文字のにじみや潰れ、荒さを軽減することができる。
【００１５】
ここで、記出力端子の種類としては、コンポジット端子、コンポーネント端子、Ｓ端子、またはＤ端子の少なくとも２種類以上とする。因みに、コンポジット端子は、色信号と輝度信号、同期信号などを複合させた信号端子であり、コンポーネント端子は、色信号ＣをＢ−Ｙ色差信号とＲ−Ｙ色差信号とに分けて伝送する信号端子であり、Ｓ端子は、Ｙ／Ｃ分離映像信号端子である。また、Ｄ端子は、コンポーネント信号と走査線数、走査方式、アスペクト比を指定する識別信号とを１本のケーブルで接続できるようにした信号端子であり、ＥＩＡＪ（日本電子機械工業会）ＣＰ−４１２０により規定されている民生用のコンポーネント用信号端子である。
【００１６】
また、本発明の映像信号処理装置によれば、前記指定手段は、メニュー画面に表示された出力端子の全種類からユーザが任意の出力端子を選択することで指定するように構成してもよい。
【発明の効果】
【００１７】
本発明の映像信号処理装置によれば、表示装置が接続される本装置の出力端子の種類ごとに最適なフォントサイズまたは輝度レベル、もしくはフォントサイズ及び輝度レベルで文字等を表示することができるため、出力端子の種類の違いによる文字等のにじみや潰れ、荒さといった不具合の発生を軽減することができる。これにより、ユーザは、目の疲れない見易いＯＳＤ画面を視聴することができる。
【発明を実施するための最良の形態】
【００１８】
以下、本発明の実施の形態について、図面を参照して説明する。
【００１９】
図１は、本発明の映像信号処理装置の一実施の形態である光ディスク装置のブロック構成を示している。
【００２０】
本実施形態の光ディスク装置１は、図示しない光ディスクに記録されている映像信号を読み取る光ピックアップ２、光ピックアップ２により読み取られた映像信号を記憶する画像メモリ３、画像メモリ３に記憶された映像信号を復号処理する信号処理回路４、信号処理回路４により復号処理された映像信号をＴＶモニタ装置２０に対する映像信号に変換して出力するＤＡ変換回路５、ＴＶモニタ装置２０にＯＳＤ信号を出力して所定のＯＳＤ表示をさせるＯＳＤ回路６、上記各ブロックの制御を司る制御回路７、制御回路７の動作プログラム及びＴＶモニタ装置２０に表示させる各種フォントデータを記憶するメモリ８、ユーザが制御回路７に各種の指令を入力するための操作部９、リモコン１１からの操作信号を受信して制御回路７に入力する受信部１０を備えている。また、光ディスク装置１の本体部には、ＴＶモニタ装置２０が接続される各種出力端子を有する本体接続部１ａが設けられている。ここで、出力端子としては、コンポジット端子、コンポーネント端子、Ｓ端子、またはＤ端子の少なくとも２種類以上を備えている。ただし、本実施形態では、これら全ての出力端子を備えているものとする。
【００２１】
制御回路７は、信号処理回路４にて復号処理された映像信号に、ＯＳＤ回路６にて生成されたＯＳＤ信号を重畳してＤＡ変換回路５に出力する。また、制御回路７は、ＯＳＤ回路６にて生成されるＯＳＤ信号のフォントサイズを切り替える切替制御機能を備えている。
【００２２】
また、メモリ８には、ＴＶモニタ装置２０が接続される本装置の出力端子の種類ごとに最適なフォントサイズのデータを予め格納したフォントサイズテーブル８ａと、ＴＶモニタ装置２０が接続される本装置の出力端子の種類ごとに最適な輝度レベルのデータを予め格納した輝度レベルテーブル８ｂとが格納されている。
【００２３】
図２は、フォントサイズテーブル８ａの一構成例を示している。
【００２４】
このフォントサイズテーブル８ａは、ＴＶモニタ装置２０が接続される本装置の各出力端子名と、その出力端子名に対応した最適なフォントサイズ（ドット）データとで構成されている。この例では、コンポジット端子の最適なフォントサイズは２４×２４、Ｓ端子の最適なフォントサイズは１６×１６、Ｄ端子の最適なフォントサイズは８×８、コンポーネント端子の最適なフォントサイズは８×８、その他の端子はデフォルト値となっている。このような最適なフォントサイズは、例えば製品出荷前に実際に各出力端子にＴＶモニタ装置を接続して決定する。
【００２５】
図３は、輝度レベルテーブル８ｂの一構成例を示している。
【００２６】
この輝度レベルテーブル８ｂは、ＴＶモニタ装置２０が接続される本装置の各出力端子名と、その出力端子名に対応した最適な輝度レベルデータとで構成されている。この例では、コンポジット端子の最適な輝度レベルはデフォルト値−２０（％）、Ｓ端子の最適な輝度レベルはデフォルト値＋５（％）、Ｄ端子の最適な輝度レベルはデフォルト値＋１０（％）、コンポーネント端子の最適な輝度レベルはデフォルト値＋１０（％）、その他の端子はデフォルト値となっている。このような最適な輝度レベルは、例えば製品出荷前に実際に各出力端子にＴＶモニタ装置を接続して決定する。
【００２７】
制御回路７は、これらのテーブル８ａ，８ｂを利用して、ＴＶモニタ装置２０が接続される本装置の出力端子の種類に応じてＯＳＤ信号のフォントサイズまたは輝度レベルの切り替え制御を行う。以下、出力する映像信号に重畳するＯＳＤ信号のＯＳＤフォントの切り替え制御について、具体的に実施例を挙げて説明する。
【実施例１】
【００２８】
本実施例１は、ＴＶモニタ装置２０が接続される本装置の出力端子に応じてＯＳＤ信号のフォントサイズを切り替える実施例である。従って、本実施例１では、輝度レベルテーブル８ｂは使用しない。図４は、本実施例１の処理動作を示すフローチャートである。以下、図４に示すフローチャートを参照して本実施例１を説明する。
【００２９】
ユーザは、例えばリモコン１１を操作して、ＴＶモニタ装置２０にメニュー画面を表示し（ステップＳ１１）、そのメニュー画面の中から、ＴＶモニタ装置２０が接続される本装置の出力端子のＯＳＤフォント設定項目を選択する（ステップＳ１２でＹｅｓと判断）。これにより、ＴＶモニタ装置２０の画面には、図７に示す全出力端子名の一覧が表示される（ステップＳ１３）。
【００３０】
この一覧表示の中から、ユーザが、ＴＶモニタ装置２０が接続される本装置の出力端子名を指定する（ステップＳ１４）。具体的には、画面中の図示しないカーソルを所望の出力端子名に移動し、画面右下の「決定」キーを操作する。このようにして出力端子名が指定されると（ステップＳ１４でＹｅｓと判断されると）、制御回路７は、その指定された出力端子名のフォントサイズをフォントサイズテーブル８ａから抽出し（ステップＳ１５）、その抽出したフォントサイズでＯＳＤ信号を出力し、ＴＶモニタ装置２０にＯＳＤ表示を行う（ステップＳ１６）。具体的には、指定された出力端子名が例えばコンポジット端子である場合には、フォントサイズを２４×２４としてＯＳＤ表示を行い、出力端子名が例えばＳ端子である場合には、フォントサイズを１６×１６としてＯＳＤ表示を行い、出力端子名が例えばＤ端子である場合には、フォントサイズを８×８としてＯＳＤ表示を行う。また、出力端子名が例えばその他の端子である場合には、フォントサイズをデフォルト値としてＯＳＤ表示を行う。
【００３１】
このように、ＴＶモニタ装置２０が接続される本装置の出力端子の種類に対応した最適なフォントサイズでＯＳＤ表示を行うことにより、出力端子の種類の違いによる文字のにじみや潰れ、荒さを軽減することができる。
【実施例２】
【００３２】
本実施例２は、ＴＶモニタ装置２０が接続される本装置の出力端子の種類に応じてＯＳＤ信号の輝度レベルを切り替える実施例である。従って、本実施例２では、フォントサイズテーブル８ａは使用しない。図５は、本実施例２の処理動作を示すフローチャートである。以下、図５に示すフローチャートを参照して本実施例２を説明する。
【００３３】
ユーザは、例えばリモコン１１を操作して、ＴＶモニタ装置２０にメニュー画面を表示し（ステップＳ２１）、そのメニュー画面の中から、ＴＶモニタ装置２０が接続される本装置の出力端子のＯＳＤフォント設定項目を選択する（ステップＳ２２でＹｅｓと判断）。これにより、ＴＶモニタ装置２０の画面には、図７に示す全出力端子名の一覧が表示される（ステップＳ２３）。
【００３４】
この一覧表示の中から、ユーザが、ＴＶモニタ装置２０が接続される本装置の出力端子名を指定すると、（ステップＳ２４でＹｅｓと判断されると）、制御回路７は、その指定された出力端子名の輝度レベルを輝度レベルテーブル８ｂから抽出し（ステップＳ２５）、その抽出した輝度レベルでＯＳＤ信号を出力し、ＴＶモニタ装置２０にＯＳＤ表示を行う（ステップＳ２６）。具体的には、指定された出力端子が例えばコンポジット端子である場合には、輝度レベルをデフォルト値から−２０％落とした輝度レベルでＯＳＤ表示を行い、出力端子名が例えばＳ端子である場合には、輝度レベルをデフォルト値から＋５％上げた輝度レベルでＯＳＤ表示を行い、出力端子名が例えばＤ端子である場合には、輝度レベルをデフォルト値から＋１０％上げた輝度レベルでＯＳＤ表示を行い、出力端子名が例えばコンポーネント端子である場合には、輝度レベルをデフォルト値から＋１０％上げた輝度レベルでＯＳＤ表示を行う。また、出力端子名がその他の端子である場合には、デフォルト値の輝度レベルでＯＳＤ表示を行う。
【００３５】
このように、ＴＶモニタ装置２０が接続される本装置の出力端子の種類に対応した最適な輝度レベルでＯＳＤ表示を行うことにより、出力端子の種類の違いによる文字のにじみや潰れ、荒さを軽減することができる。
【実施例３】
【００３６】
本実施例３は、ＴＶモニタ装置２０が接続される本装置の出力端子の種類に応じてＯＳＤ信号のフォントサイズ及び輝度レベルを切り替える実施例である。図６は、本実施例３の処理動作を示すフローチャートである。以下、図６に示すフローチャートを参照して本実施例３を説明する。
【００３７】
ユーザは、例えばリモコン１１を操作して、ＴＶモニタ装置２０にメニュー画面を表示し（ステップＳ３１）、そのメニュー画面の中から、ＴＶモニタ装置２０が接続される本装置の出力端子のＯＳＤフォント設定項目を選択する（ステップＳ３２でＹｅｓと判断）。これにより、ＴＶモニタ装置２０の画面には、図７に示す全出力端子名の一覧が表示される（ステップＳ３３）。
【００３８】
この一覧表示の中から、ユーザが、ＴＶモニタ装置２０が接続される本装置の出力端子名を指定すると、（ステップＳ３４でＹｅｓと判断されると）、制御回路７は、その指定された出力端子名のフォントサイズをフォントサイズテーブル８ａから抽出するとともに、その指定された出力端子名の輝度レベルを輝度レベルテーブル８ｂから抽出し（ステップＳ３５）、その抽出したフォントサイズ及び輝度レベルでＯＳＤ信号を出力し、ＴＶモニタ装置２０にＯＳＤ表示を行う（ステップＳ３６）。具体的には、指定された出力端子名が例えばコンポジット端子である場合には、フォントサイズを２４×２４としかつ輝度レベルをデフォルト値から−２０％落とした輝度レベルでＯＳＤ表示を行い、出力端子名が例えばＳ端子である場合には、フォントサイズを１６×１６としかつ輝度レベルをデフォルト値から＋５％上げた輝度レベルでＯＳＤ表示を行い、出力端子名が例えばＤ端子である場合には、フォントサイズを８×８としかつ輝度レベルをデフォルト値から＋１０％上げた輝度レベルでＯＳＤ表示を行い、出力端子名が例えばコンポーネント端子である場合には、フォントサイズを８×８としかつ輝度レベルをデフォルト値から＋１０％上げた輝度レベルでＯＳＤ表示を行う。また、出力端子名がその他の端子である場合には、フォントサイズ及び輝度レベルを共にデフォルト値としてＯＳＤ表示を行う。
【００３９】
このように、ＴＶモニタ装置２０が接続される本装置の出力端子の種類に対応した最適なフォントサイズ及び輝度レベルでＯＳＤ表示を行うことにより、出力端子の種類の違いによる文字のにじみや潰れ、荒さを軽減することができる。
【００４０】
なお、上記実施例１〜３では、メニュー画面に表示された全出力端子からユーザが任意のメーカを選択することで、ＴＶモニタ装置２０が接続される本装置の出力端子を指定するように構成しているが、出力端子の指定はこれに限定されるものではない。
【図面の簡単な説明】
【００４１】
【図１】本発明の映像信号処理装置の一実施の形態である光ディスク装置のブロック構成図である。
【図２】フォントサイズテーブルの一構成例を示す説明図である。
【図３】輝度レベルテーブルの一構成例を示す説明図である。
【図４】実施例１の処理動作を示すフローチャートである。
【図５】実施例２の処理動作を示すフローチャートである。
【図６】実施例３の処理動作を示すフローチャートである。
【図７】メニュー画面の中からＯＳＤフォント設定項目を選択した場合にＴＶモニタ装置の画面に表示される全出力端子名の一覧表示例を示す説明図である。
【符号の説明】
【００４２】
１  光ディスク装置
１ａ  本体接続部
２  光ピックアップ
３  画像メモリ
４  信号処理回路
５  ＤＡ変換回路
６  ＯＳＤ回路
７  制御回路
８  メモリ
８ａ  フォントサイズテーブル
８ｂ  輝度レベルテーブル
９  操作部
１０  受信部
１１  リモコン
２０  ＴＶモニタ装置
【図１】
2007043385.tif 000003
【図２】
2007043385.tif 000004
【図３】
2007043385.tif 000005
【図４】
2007043385.tif 000006
【図５】
2007043385.tif 000007
【図６】
2007043385.tif 000008
【図７】
2007043385.tif 000009